(57)【特許請求の範囲】
【請求項１】
筒状に形成され、内壁面に雌ねじ部が形成されたケースと、
前記ケースの軸方向の一端側を塞ぐカバーガラスと、
前記ケースの軸方向の他端部を塞ぎ、前記雌ねじ部にねじ込まれる雄ねじ部が周縁部に形成された蓋部材と、
前記ケースに収容される指針と、
前記ケースに収容され、前記指針を駆動するムーブメントと、
前記ムーブメントとカバーガラスとの間に配置される支持板と、
前記支持板において前記カバーガラスを向く面に配置された装飾用の革製シートと、
を備え、
前記指針が前記革製シートと前記カバーガラスとの間で駆動し、
前記ケースの内壁面には、周方向に沿って延びる段部が形成され、
前記革製シートの周縁部は、前記支持板と前記段部との間に挟まれており、
前記支持板は、前記蓋部材が前記ケースにねじ込まれることによって押し上げられ、これによって前記革製シートの周縁部を前記段部と前記支持板との間に挟んで加締めている、腕時計。
【請求項２】
前記支持板は、前記ムーブメントによって前記蓋部材側から押圧されることで、前記革製シートを前記段部と前記支持板との間に挟む、請求項１に記載の腕時計。
【請求項３】
前記ケース内において、前記蓋部材と前記支持板との間に配置される筒状の中枠をさらに備え、
前記中枠の内部には前記ムーブメントが支持されており、
前記蓋部材が前記ケースに装着されることにより、前記蓋部材によって前記中枠が押圧され、これによって前記ムーブメントが前記支持板を押圧するように構成されている、請求項２に記載の腕時計。
【請求項４】
前記革製シートの厚みが、０．１〜１．０ｍｍである、請求項１から３のいずれかに記載の腕時計。
【請求項５】
前記革製シートは牛革である、請求項１から４のいずれかに記載の腕時計。
【請求項６】
前記革製シートを加締めるための前記蓋部材の押し込み量が０．１〜０．２０ｍｍである、請求項１から５のいずれかに記載の腕時計。
【発明の詳細な説明】
【技術分野】
【０００１】
本発明は、腕時計に関する。
【背景技術】
【０００２】
従来より、時計の文字盤は時刻を示す数字を表示するのみならず、装飾を施すことが多く行われている。例えば、特許文献１に記載の腕時計では、文字盤上に、貴石、貝などの材料を薄板化した装飾板を貼り付けることで、装飾性を向上している。
【先行技術文献】
【特許文献】
【０００３】
【特許文献１】特開２００２−３１８２８９号公報
【発明の概要】
【発明が解決しようとする課題】
【０００４】
しかしながら、近年では、腕時計の装飾に対する嗜好は多様化しており、従来にはない装飾性の高い文字盤が要望されていた。本発明は、この問題を解決するためになされたものであり、装飾性を向上することができる腕時計を提供することを目的とする。
【課題を解決するための手段】
【０００５】
本発明に係る腕時計は、筒状のケースと、前記ケースの軸方向の一端側を塞ぐカバーガラスと、前記ケースの軸方向の他端部を塞ぐ蓋部材と、前記ケースに収容される指針と、前記ケースに収容され、前記指針を駆動するムーブメントと、前記ムーブメントとカバーガラスとの間に配置される支持板と、前記支持板において前記カバーガラスを向く面に配置された装飾用の革製シートと、を備え、前記指針が前記革製シートと前記カバーガラスとの間で駆動する。
【０００６】
この構成によれば、支持板に革製シートを貼り付けているため、従来の腕時計の文字盤に該当する面を革製シートで構成することができる。そのため、従来の腕時計の文字盤とは全く異なる外観を提供することができ、腕時計の装飾性を大きく向上することができる。
【０００７】
上記腕時計において、前記ケースの内壁面には、周方向に沿って延びる段部を形成し、前記革製シートの周縁部を、前記支持板と前記段部との間に挟むことができる。
【０００８】
これにより、革製シートの周縁部がケースの内部に隠れるため、カバーガラスから視認可能な領域の全面を革製シートで構成することができる。したがって、革製シートの大きさを精密に調整することなく、従来の文字盤に該当する部分の全面を革製シートで構成することができる。
【０００９】
上記腕時計においては、前記支持板を、前記ムーブメントによって前記蓋部材側から押圧することで、前記革製シートを前記段部と前記支持板との間に挟むことができる。
【００１０】
これにより、革製シートの周縁部が段部と支持板との間で押圧されるため、革製シートの周縁部が加締められ、厚さの経時的な変化が生じるのを防止することができる。そのため、ムーブメントの軸方向の位置が変化するのを防止することができる。
【００１１】
上記腕時計において、支持板を押圧するための構成は特には限定されないが、例えば、前記ケース内に、前記蓋部材と前記支持板との間に配置される筒状の中枠をさらに設け、前記中枠の内部で前記ムーブメントを支持し、前記蓋部材が前記ケースに装着されることにより、前記蓋部材によって前記中枠が押圧され、これによって、前記ムーブメントが前記支持板を押圧するように構成することができる。
【００１２】
このような中枠を設けることで、ムーブメントの径方向の位置ずれを防止することができる。
【００１３】
上記腕時計においては、前記革製シートの厚みを、０．１〜１．０ｍｍとすることができる。革製シートをこのような厚さにすると、環境などによって厚さが変化し難くなるため、ムーブメントの軸方向の位置が変化するのを防止することができる。
【００１４】
革製シートとしては、牛革、ワニ革、ヘビ革、トカゲ革など、種々の革を用いることができる。このうち、牛革は表面の凹凸が少ないためであるため、牛革を用いると、革製シートの厚さが面方向において一定とすることができる。その結果、ムーブメントの軸方向の位置が変化するのを防止することができる。
【発明の効果】
【００１５】
本発明に係る腕時計によれば、装飾性を向上することができる。
【図面の簡単な説明】
【００１６】
【図１】本発明の一実施形態に係る腕時計の平面図である。
【図２】図１のＡ−Ａ線断面図である。
【図３】図１のＢ−Ｂ線断面図である。
【発明を実施するための形態】
【００１７】
以下、本発明に係る腕時計の一実施形態について図面を参照しつつ説明する。図１は本実施形態に係る腕時計の平面図、図２は図１のＡ−Ａ線断面図、図３は図１のＢ−Ｂ線断面図である。以下では、説明の便宜のため、図２及び図３の上下方向を「上下」と称することとする。
【００１８】
図１〜図３に示すように、この腕時計は、筒状のケース１を備えており、このケース１の内壁面の上部には、径方向内方に突出する環状の突出部１１が形成されている。そして、この突出部１１は断面矩形状に形成されており、突出部１１の上面とケース１の内壁面とで、ケース１の上部開口周縁には、段部１２が形成される。そして、この段部１１には円形のカバーガラス２が嵌め込まれている。また、ケース１の上面においてカバーガラス２の周縁部分、つまりベゼルに相当する部分には、時間を示す文字が表紙されている。一方、ケース１の下部開口は円形の蓋部材３によって閉じられている。蓋部材３は、円形状の基板部３１と、この基板部３１の周縁部から上方に立ち上がる円筒状の雄ねじ部３２とで構成されている。そして、この雄ねじ部３２が、ケース１の下部開口の内壁面に形成された雌ねじ部１３にねじ込まれることで、ケース１の下部開口が塞がれる。こうして、ケース１には、カバーガラス２と蓋部材３との間に内部空間が形成される。
【００１９】
また、ケース１の側面には、水平方向に延びる貫通孔１４が形成されており、ケース１の外部と内部空間とが連通している。この貫通孔１４には、後述するように、リューズ４の巻真４１が挿通される。
【００２０】
ケース１の内部空間において、突出部１１よりも下方には、革製シート５及び支持板６が配置されている。革製シート５は、支持板６の上面に接着剤などで貼り付けられており、これらは同じ形状の円形状に形成されている。革製シート５は、牛革、ワニ革、ヘビ革、トカゲ革など、種々の革を用いることができるが、表面の凹凸の少ない牛革を用いることが好ましい。また、その厚みは、０．１〜１．０ｍｍであることが好ましく、０．３〜０．７ｍｍであることがさらに好ましく、０．４〜０．６ｍｍであることが特に好ましい。
【００２１】
革製シート５の周縁部は、突出部１１の下面とケース１の内壁面とで形成された段部１５に下方から当接している。これにより、カバーガラス２と革製シート５との間には、後述する指針７が配置される上部空間が形成される。また、支持板６の下方には、指針７を駆動する円柱状のムーブメント８が配置されている。ムーブメント８の中央には、回転軸８１が設けられており、この回転軸８１が、革製シート５及び支持板６の中央に形成された貫通孔から上方に延び、上述した上部空間に突出している。そして、回転軸８１の上端部には、径方向外方へ延びる指針７（長針及び短針）が取付けられている。なお、ムーブメント８は、電子時計すなわちクォーツ式の時計用であってもよいし、機械式の時計用であってもよい。
【００２２】
ムーブメント８は、ケース１の内部空間の径よりも小さく形成されており、筒状の中枠９によって支持された状態で、支持板６と蓋部材３との間に収容されている。中枠９は、ムーブメント８の周囲を囲む円筒状の基部９１と、この基部９１の上端部から径方向外方へ突出するフランジ部９２とで構成されている。より詳細に説明すると、ムーブメント８の上端周縁には、径方向外方へわずかに突出する複数の突部８２が等間隔で形成されている。そして、この突部８１が中枠９の基部９１の上端部により下側から押し上げられている。図３に示すように、基部９１の上端に、突部８２が嵌まる凹部を形成することもできる。一方、基部９１の下端部は蓋部材３の上面に接しており、蓋部材３がケース１にねじ込まれることで、中枠９の基部９１を上方へ押圧し、これによって、中枠９１の基部９１がムーブメント８を上方へ押し上げる。そのため、ムーブメント８は、支持板６を上方へ押圧し、これによって、革製シート５の周縁部が支持板６と突出部１１の下面の段部１５との間に挟持されるようになっている。
【００２３】
また、中枠９１のフランジ部９２の径方向外方の端部は、ケース１の内壁面に接触しており、これによって、ムーブメント８が、内部空間の中央に位置決めされる。中枠９１において、リューズ４と対応する位置のフランジ部９２及び基部９１には切り欠き（図示省略）が形成されており、リューズ４の巻真４１がこの切り欠きを介してムーブメント８に連結されている。したがって、リューズ４を操作することで、指針７を調整することができる。
【００２４】
上記腕時計においては、蓋部材３をケース１の下部開口にねじ込むことによって、中枠９、ムーブメント８、及び支持板６を押し上げている。このとき、蓋部材３の押し込み量は、通常ムーブメント８の種類によって決まっているが、この押し込みによって、革製シートの周縁部を加締めることができる。そのため、押し込み量は、例えば、０．１〜０．２０ｍｍ、特に０．１５ｍｍ程度とすることができる。
【００２５】
以上のように構成された腕時計によれば、支持板６に革製シート５を貼り付けているため、従来の腕時計の文字盤に該当する面を革製シート５で構成することができる。そのため、従来の腕時計の文字盤とは全く異なる風合いを醸し出すことができ、腕時計の装飾性を大きく向上することができる。
【００２６】
また、従来、革製シートは、経時的な変化が大きいと考えられていたため、腕時計の文字盤に用いられることはなかったが、本実施形態に係る腕時計では、上記のように、厚みの薄い革製シート５を用いることで経時的な変化が生じ易くなることを防止している。また、上記腕時計においては、支持板６を、ムーブメント８によって下側から押圧することで、革製シート５を段部１５と支持板６との間に挟んでいる。これにより、革製シート５の周縁部が段部１５と支持板６との間で押圧されるため、革製シート５の周縁部が加締められ、厚さの経時的な変化が生じるのを防止することができる。そのため、ムーブメント８の軸方向の位置が変化するのを防止することができる。したがって、リューズ４の巻真４１が水平状態からずれるのを防止することができる。
【００２７】
以上、本発明の一実施形態について説明したが、本発明は、上記実施形態に限定されるものではなく、その趣旨を逸脱しない限りにおいて種々の変更が可能である。例えば、上記実施形態では、支持板と革製シートの大きさを同じにしているか、これに限定されるものでなく、革製シートが小さくてもよい。
【００２８】
また、上記実施形態においては、革製シート５の周縁部を、支持板６と段部１５との間に挟んでいるが、これにより、革製シート５の周縁部がケース１の内部に隠れるため、カバーガラス２から視認可能な領域の全面を革製シート５で構成することができる。したがって、革製シート５の大きさを精密に調整することなく、従来の文字盤に該当する部分の全面を革製シートで構成することができる。但し、支持板６の外径を革製シート５より大きくし、さらに革製シート５の外径を突出部１１の内径と同一になるように調整することもできる。このようにすると、支持板６の周縁部が段部１５に当接するため、ムーブメント８の軸方向の位置を確実に位置決めすることができる。
【００２９】
革製シート５の構成は特には限定されず、ベゼルに文字を施す代わりに、革製シート５の表面に文字を印刷したり、文字に相当する部品を配置することもできる。
【００３０】
上記実施形態では、蓋部材３をケース１の下部開口にねじ込むことによって、中枠９、ムーブメント８、及び支持板６を押し上げているが、支持板６を押し上げるための構成はこれに限定されない。例えば、蓋部材３によってムーブメント８を直接押し上げることができる。あるいは、支持板６をムーブメント８以外の部品で押し上げることもでき、蓋部材３をねじ込むことで、中枠９を押し上げ、中枠９によって支持板６を押し上げることもできる。
【００３１】
上記実施形態に係る腕時計は、指針を有するアナログの時計であるが、ケース１の中に、ムーブメント８とともに公知の液晶表示装置を配置し、デジタル表示も行うようにすることができる。例えば、支持板６及び革製シート５に開口を形成し、この開口から液晶表示装置の表示部が露出するよう構成する。この表示部は、時刻等がデジタル表示される液晶画面である。こうすることで、アナログ表示機能とデジタル表示機能の両方を備えた腕時計とすることができる。
【００３２】
また、上述した部品、部位の形状などは特には限定されない。例えば、上記実施形態では、平面視円形の腕時計について説明したが、ケース、カバーガラス、革製シート、支持板などを、矩形状のほか、多角形状にすることもできる。また、中枠９は必ずしも必要ではなく、蓋部材３や支持板６、ケース１の内壁面にムーブメント８を固定するための部材（枠、突部など）を設けることもできる。
【符号の説明】
【００３３】
１  ケース
１５  段部
２  カバーガラス
３  蓋部材
５  革製シート
６  支持板
７  指針
８  ムーブメント
９  中枠
【要約】      （修正有）【課題】装飾性を向上することができる腕時計を提供する。【解決手段】腕時計は、筒状のケース1と、ケース１の軸方向の一端側を塞ぐカバーガラスと、ケース１の軸方向の他端部を塞ぐ蓋部材３と、ケース１に収容される指針７と、ケース１に収容され、指針７を駆動するムーブメント８と、ムーブメント８とカバーガラスとの間に配置される支持板６と、支持板６においてカバーガラスを向く面に配置された装飾用の革製シート５と、を備え、指針７が革製シート５とカバーガラスとの間で駆動する。【選択図】図２【図１】
0005475150.tif 000002
【図２】
0005475150.tif 000003
【図３】
0005475150.tif 000004